(57)【特許請求の範囲】
【請求項１】
短繊維からなる、折りたたみ構造を有する不織布製ワイパーであって、帯状不織布の相対する切断端A,Bが該不織布の同一面側に折り畳まれ、次いで、該折り畳まれた帯状不織布を切断端A,Bに略直交する方向に所定間隔で切断され、該切断された折り畳み不織布を切断端A，Bが内側にくるように折り畳まれていることを特徴とし、更に該ワイパーの１辺にのみ不織布の切断端が現れていることを特徴とする低発塵性ワイパー。
【請求項２】
厚みが均一である請求項１に記載の低発塵性ワイパー。
【請求項３】
JIS  B9923タンブンリグ法により発塵させ、パーティクルカウンターで測定したときの0.1〜0.5μmの発塵個数が1000個以下、かつ0.5μm以上の発塵個数が1500個以下である請求項１又は２に記載の低発塵性ワイパー。
【請求項４】
矩形形状である請求項1乃至３のいずれか１項に記載のワイパー。
【請求項５】
クリーンルーム用である請求項1乃至４のいずれか１項に記載のワイパー。
【請求項６】
短繊維からなる不織布を折り畳んで低発塵性ワイパーを製造する方法であって、帯状不織布の相対する切断端A,Bを該不織布の同一面側に折り畳み、次いで、該折り畳まれた帯状不織布を切断端A,Bに略直交する方向に所定間隔で切断し、切断により生ずるリントを吸引除去し、該切断された折り畳み不織布を切断端A，Bが内側にくるように折り畳むことを特徴とする低発塵性ワイパーの製造方法。
【発明の詳細な説明】
【０００１】
【発明の属する技術分野】
本発明は低発塵性ワイパーに関する。更に詳しくは実質的に無塵状態に管理されたクリーンルーム内での拭き取り工程に好適に使用可能な低発塵性ワイパーに関する。
【０００２】
【従来の技術】
近年、精密工業、半導体、医薬品、食品等の製造工程、病院や微生物を扱う分野等、クリーンルーム内で行われる作業が増えてきており、ここで使われるクリーンルーム用ワイパーの必要性が増大している。ここで使われているワイパーは、短繊維の綿・合繊及び長繊維合繊からなる不織布、織物、編物等があるが、未だ満足出来るものはない。
例えば、長繊維合繊を使ったワイパーは吸水性が悪く拭き取り性が悪いという欠点がある。短繊維を使ったワイパーは吸水性は良いが発塵性が悪いという欠点を持っている。織物は厚みが薄く、伸縮性がなく拭き取り面にフィットしにくいので、拭き取り性に劣る。これらのワイパーは織物、編物も含め、最終の使用段階では切断が必要となり、切断面からのリント(微少な繊維屑を主体とする微紛)発生が大きな欠点となる。この為、切断面を熱可塑性樹脂で固めたり、縁取り材で包み込んだり、編み込んでしまったりと色々と考案されているが未だ満足出来るものはない。
【０００３】
【発明が解決しようとする課題】
本発明の目的は、短繊維不織布からなり、切断端からのリントの発生が極めて少ない安価な低発塵性ワイパーを提供することである。
【０００４】
【課題を解決するための手段】
すなわち、本発明は、短繊維からなる、折りたたみ構造を有する不織布製ワイパーであって、該ワイパーの１辺にのみ不織布の切断端が現れていることを特徴とする低発塵性ワイパーであり、好ましくは、該ワイパーをJIS  B9923タンブンリグ法により発塵させ、パーティクルカウンターで測定したときの0.1〜0.5μmの発塵個数が1000個以下、かつ0.5μm以上の発塵個数が1500個以下である低発塵性ワイパーである。また、本発明は、短繊維からなる不織布を折り畳んで低発塵性ワイパーを製造する方法であって、帯状不織布の相対する切断端A,Bを該不織布の同一面側に折り畳み、次いで、該折り畳まれた帯状不織布を切断端A,Bに略直交する方向に所定間隔で切断し、切断により生ずるリントを吸引除去し、該切断された折り畳み不織布を切断端A，Bが内側にくるように折り畳むことを特徴とする低発塵性ワイパーの製造方法である。
【０００５】
【発明の実施の形態】
本発明のワイパーは、特殊な折り畳み構造を採用することにより、リントの発生しやすい短繊維不織布の切断端がワイパーの１辺にしか現れず、優れた低発塵性を奏するものである。図１は本発明のワイパーの１例を示す外観図であり、図２はその展開図である。本発明のワイパーは切断端C,Dだけがワイパーの１辺にのみ現れており、切断端A,Bはワイパー内部に隠れているため、外部からの刺激が少なく発塵も少ない。また、切断端A,Bからリントが発生してもリントは外部へ殆ど出てこないという特徴を有している。
【０００６】
一方、図３に、従来のクリーンルーム用の短繊維不織布ワイパーの外観図を、また図４にその展開図を示したが、該ワイパーにおいては、不織布の切断端Ａ，Ｂ，Ｃ及びＤの全てが外側に現れているため、これら切断端からのリント発生がかなり多い。
【０００７】
本発明のワイパーは、その１辺にのみ切断端が現われていれば、その形状は特に限定されず、三角形；正方形、長方形、平行四辺形などの矩形形状；その他種々の形態のワイパーとすることが可能ではあるが、折り畳みやすさや原反となる不織布の準備の容易さからすると正方形や長方形などの矩形形状であることが現実的で好ましい。
【０００８】
本発明のワイパーの製造方法について、例えば、矩形形状のワイパーの例を挙げて説明すると、短繊維からなる帯状不織布の相対する切断端A,Bを該不織布の同一面側に折り畳み、次いで、該折り畳まれた帯状不織布を切断端A,Bに略直交する方向に所定間隔で切断し、切断により生ずるリントを吸引除去し、該切断された折り畳み不織布を切断端A，Bが最終製品の内側にくるように折り畳むことによって製造することができる。
【０００９】
図５に本発明のワイパーを製造するための製造工程の該略図を例示したが、まず、原反ロール５から引き出された帯状不織布は折り板６で折られる。ここで折られた帯状不織布は、図６に示したＸ-Ｘ矢視断面のように、平たく潰されたＣ字形状のように折り畳まれており、切断端A,Bは該不織布の同一面側に折りこまれている。次いで、折り畳まれた帯状不織布はカッティングロール７などの切断手段で所望の間隔に切断され、切断端C，Dから生ずるリントを、切断と同時又は切断後に真空吸引装置により吸引除去し、さらに該切断された折り畳み不織布を切断端A，Bが最終製品において内側にくるようにホールディングロール８によって折り畳むことによって１辺にのみ切断端が現れる折り畳み構造を有するワイパーが製造されるのである。ワイパーは任意枚数に重ねられ、搬出コンベヤー１１上に取り出され、任意枚数に重ねられた製品15はその後検査、包装されて出荷される。
【００１０】
ここで使用される製造設備は従来製品の４つ折り製品を製造するための設備を用いることができる。このＣ型に折る折り板は、封筒型の製品、水切り袋等の加工に使用されているものを使うことができる。
【００１１】
本発明のワイパーは、一般的な折り畳み加工方法の組み合わせにより安価に製造できるが、従来品に比して飛躍的に低発塵性が改善される点に最大の特徴がある。すなわち、本発明の短繊維不織布からなるワイパーをJIS  B9923タンブンリグ法により発塵させ、パーティクルカウンターで測定した場合に、0.1〜0.5μmの大きさの発塵個数が1000個以下、かつ0.5μm以上の大きさの発塵個数が1500個以下という極めて優れた低発塵性を示すものであり、これは、特定の折り畳み構造と、切断時に行なう真空吸引処理の相乗効果として現れるものである。発塵個数が上記の範囲を外れる場合は、クリーンルーム用のワイパーとして不適である。
【００１２】
【実施例】
以下、実施例により本発明を具体的に説明するが、本発明は何らこれらに限定されるものではない。
【００１３】
実施例１  及び比較例1
1.5dr×繊維長40mmのレイヨン80％と2.0dr×繊維長51mmの熱融着複合繊維20％の原綿構成で、目付けが30g/m2である帯状不織布原反を用い、図5に示すような製造装置を用いて、1辺が25cm×25cmの矩形形状で、その1辺にのみ切断端が現れている折り畳まれたワイパーを作成し、JIS  Ｂ‐９９２３(クリーンルーム用衣服の汚染粒子測定方法)タンブリング法により発塵し、パーティクルカウンターで発塵個数を測定した。尚、測定は５回測定し、その平均値を示す。また、比較のために、上記と同じ不織布からなり、図3に見られるような折り方をした1辺が25cmの矩形形状のワイパーを作成し、上記と同様にして発塵個数を測定した。両者の測定結果を表１に示す。
【００１４】
【表１】
0004303834.tif 000002
【００１５】
実施例２及び比較例２
不織布として、1.5dr×繊維長40mmのレイヨン100％の原綿構成で、目付が30g/m2であるものを使用すること以外は、実施例1及び比較例1と同様にしてワイパーを作成し、発塵個数を測定した。結果を表２に示す。
【００１６】
【表２】
0004303834.tif 000003
【００１７】
表１及び表２に見られる通り、実施例１及び実施例２は比較例に比べて約8分の１から18分の１と極めて低発塵性となっており、本発明のワイパーは極めて優れた低発塵性を具備するものであることが分かる。
【図面の簡単な説明】
【図１】本発明のワイパーの斜視図
【図２】本発明のワイパーの展開図
【図３】従来のワイパーの斜視図
【図４】従来のワイパーの展開図
【図５】本発明のワイパーの製造装置の概略図
【図６】製造工程における帯状不織布のＸ−Ｘ矢視断面図
【符号の説明】
Ａ，Ｂ，Ｃ，Ｄ：不織布の切断端
１，２，３，４：折り目
５：原反ロール
６：折り板
７：カッティングロール
８：ホールディングロール
９：真空吸引パイプ
１０：折り畳み製品
１１：搬出コンベヤー
【図１】
0004303834.tif 000004
【図２】
0004303834.tif 000005
【図３】
0004303834.tif 000006
【図４】
0004303834.tif 000007
【図５】
0004303834.tif 000008
【図６】
0004303834.tif 000009